(57)【特許請求の範囲】
【請求項１】
便器と、人体洗浄を行う洗浄水を蓄えるタンクと、前記タンク内の洗浄水を流出させ人体局部を洗浄する洗浄ノズルと、制御手段と、前記制御手段の入力を行う操作手段と、コンセントとを備え、前記コンセントを接続後の所定時間内に前記操作手段において所定の操作を行うことにより、各種設定内容を変更可能な設定変更モードに切り替え可能とし、前記設定変更モードは、通常の操作者が設定する通常設定と、専門の作業者が設定する特別設定とを設け、前記通常設定と前記特別設定との切り替えは、前記設定変更モードにおいて、前記操作手段を特殊操作することで行う衛生洗浄装置。
【請求項２】
通常設定と特殊設定の切り替えを、操作手段が有する少なくとも２つのスイッチを同時に押すことで行うことを特徴とする請求項１記載の衛生洗浄装置。
【請求項３】
通常設定と特別設定の切り替えを、少なくとも２つのスイッチを決められた順序に押すことで行うことを特徴とする請求項１記載の衛生洗浄装置。
【請求項４】
通常設定と特別設定の切り替えを、少なくとも２つのスイッチを一定時間同時に押し続けることで行うことを特徴とする請求項１記載の衛生洗浄装置。
【請求項５】
通常設定と特別設定の切り替えを、スイッチを一定時間押し続けることで行うことを特徴とする請求項１記載の衛生洗浄装置。
【発明の詳細な説明】
【０００１】
【発明の属する技術分野】
本発明は衛生洗浄装置に関し、特に複数の設定項目について機能選択をするモードにおいて項目の切り換えを行う場合に、不用意に誤切り換えを行わない機能に関するものである。
【０００２】
【従来の技術】
昨今における衛生洗浄装置の発展により様々な機能が付加されると共に、幅広い使用者への普及により、使用者の使用実態に即した機能を選択できることが要求されている。このように選択できる機能の項目として、通常設定項目と特殊設定項目がある。通常設定項目とは、脱座時に便器を自動で洗浄する機能のように使用者の使用実態に依存する可能性が高く、使用者自身が変更できる項目である。一方、特殊設定項目とは、水道の水圧が低いために、工場出荷時の初期設定では流量が弱くなり、洗浄感が悪くなるという特殊な設置状況に対応するため、洗浄流量レベルを変更できる機能のように、まれに使用され、サービスマンが対応する項目である。
【０００３】
従来この種の衛生洗浄装置は、通常動作モードにおいて設定内容の変更を行っており、１つの設定項目に対して１つのスイッチによる操作で設定内容の変更を行っていた。
【０００４】
【発明が解決しようとする課題】
しかしながら前記従来の構成では、設定内容を変更できる項目と同数のスイッチが必要となるため、スイッチの数に設定できる数が制限されるという課題を有していた。
【０００５】
また多数存在する設定項目の変更処理を通常動作モードで行うとすると、処理量が多すぎて通常動作を処理しきれないおそれがある。この場合、変更処理を通常動作モードとは別の設定変更モードで行う必要がある。通常設定項目と特殊設定項目の変更を別々の設定変更モードで行うとすると、各設定を行うのに時間がかかるが、同一の設定変更モードで行うとすると、通常利用している操作者がすべての設定項目について変更できてしまい、特殊な設定情報も誤って設定変更してしまうおそれがある。
【０００６】
本発明は、上記従来の課題を解決するもので、通常操作者が設定できる通常設定項目とサービスマンのみが設定できる特殊設定項目の間に区切りを設け、通常の操作者による設定項目の誤切り換えを防止することを目的とする。
【０００７】
【課題を解決するための手段】
前記従来の課題を解決するために、本発明の衛生洗浄装置は、洗浄ノズルの駆動についての設定を行う際、通常設定と、特別設定とを設け、その切り替えは、操作手段を特殊操作することで行うものである。
【０００８】
【発明の実施の形態】
請求項１に記載の発明は、本発明の衛生洗浄装置は、コンセントを接続後の所定時間内に操作手段において所定の操作を行うことにより、各種設定内容を変更可能な設定変更モードに切り替え可能とし、設定変更モードにおいて、設定を行う際、通常設定と、特別設定とを設け、その切り替えは、操作手段を特殊操作することで行うものであり、これにより、通常操作者が設定できる通常設定項目とサービスマンのみが設定できる特殊設定項目の間に区切りを設けることで、通常の操作者による設定項目の誤切り換えを防止することができる。
【０００９】
請求項２に記載の発明は、特に請求項１に記載の発明において、通常設定と特殊設定の切り替えを、操作手段が有する少なくとも２つのスイッチを同時に押すことで行うことにより、操作者に設定項目を変更する意志があれば、短時間に特殊設定項目に切り換えることができ、かつ誤って切り換わってしまうというおそれをなくすことができる。
【００１０】
請求項３に記載の発明は、特に請求項１に記載の発明において、通常設定と特殊設定の切り替えを、少なくとも２つのスイッチを決められた順序に押すことで行うことにより、操作者に設定項目を変更する意志があれば、短時間に特殊設定項目に切り換えることができ、決められた順序という特殊な操作であるため誤って切り換わってしまうというおそれをより少なくすることができる。
【００１１】
請求項４に記載の発明は、特に請求項１に記載の発明において、通常設定と特殊設定の切り替えを、少なくとも２つのスイッチを一定時間同時に押し続けることで行うことにより、操作者に設定項目を変更する意志があれば、短時間に特殊設定項目に切り換えることができ、複数スイッチの同時押し続けというかなり特殊な操作なので誤って切り換わってしまうおそれをより少なくすることができる。
【００１２】
請求項５に記載の発明は、特に請求項１に記載の発明において、通常設定と特殊設定の切り替えを、１つのスイッチを一定時間押し続けることで行うことにより、操作者に設定項目を変更する意志があれば、スイッチが１つなので短時間で容易に特殊設定項目に切り換えることができ、かつ誤って切り換わってしまうというおそれを少なくすることができる。
【００１３】
【実施例】
以下、本発明の実施例について図１〜７を参照しながら説明する。
【００１４】
（実施例１）
図１、図２は、本発明の実施例１における外観図および本体袖部図を示すものである。図において、１は本体、２は便座、３は便蓋、４は本体袖部であり、５はリモコンでトイレ室の側壁に設置されている。６はリモコンの停止スイッチで、洗浄処理を停止させるときに使用する。７は便器洗浄レバーで、８は部屋暖房装置である。９は本体袖部で、１０は袖部内にある電源スイッチ、１１は切り時間スイッチで節電時間を切り換えるもので、１２は便座温スイッチで便座温度の設定温度を切り換えるものである。
【００１５】
図３は、本発明の実施例１における通常動作モードと設定変更モードのフローチャートを示すものである。コンセントを挿入後、５秒以内の間に、電源スイッチを５秒以上押し続ける。このとき、Ｓ１０１の分岐で衛生洗浄装置は通常動作モードＳ１０４ではなく、各種設定内容を変更するためだけの設定変更モードＳ１０２に入る。ここでリモコン停止スイッチが押されるとＳ１０３の分岐で通常動作モードＳ１０４に入る。
【００１６】
設定変更モードＳ１０２中で設定できる項目には通常操作者が設定内容を変更できる通常設定項目とサービスマンのみが設定内容を変更できる特殊設定項目がある。通常設定項目としては、脱座に便器を自動的に洗浄するときの機能に関して、脱座から便器洗浄動作開始までの時間を６秒と１５秒のどちらかから選択できる便器自動洗浄機能選択項目がある。また特殊設定項目としては、着座時に湯温ヒータを温めるプレヒート機能の入り切りを選択できるプレヒート機能選択項目、５段階ある洗浄流量レベルのうち最弱レベルの流量を２２０ｃｃ、２４０ｃｃ、２６０ｃｃ、２８０ｃｃ、３００ｃｃの５つのサブレベルから選択できる流量最弱レベル選択項目、５段階ある洗浄流量レベルのうち最強レベルの流量を５５０ｃｃ、６１０ｃｃ、６７０ｃｃ、７３０ｃｃ、８００ｃｃの５つのサブレベルから選択できる流量最強レベル選択項目、部屋暖房の設定温度を１２℃、１５℃、１８℃の３レベルから選択できる部屋暖房温度選択項目、脱臭機能の入り切りを選択できる脱臭機能選択項目がある。
【００１７】
図４は、本発明の実施例１における設定変更モードのフローチャートを示すものである。設定変更モード中に切り時間スイッチを１回押すと、便器自動洗浄機能選択状態Ｓ２０１になる。ここで便座温スイッチを押す度に機能入りと機能切りを交互に選択できる。さらに切り時間スイッチを１回押しても変化せず、電源スイッチと切り時間スイッチを同時に押すとＳ２０３の分岐によりプレヒート機能選択状態Ｓ２０４になる。このため、不用意にこの設定に入る可能性は低い。ここで便座温スイッチを押す度に機能入りと機能切りを交互に選択できる。さらに切り時間スイッチを１回押すと、Ｓ２０６の分岐により流量最弱レベル選択状態Ｓ２０７になる。ここで便座温スイッチを押す度に最弱レベルを５つのサブレベルに繰り返し選択できる。さらに切り時間スイッチを１回押すと、Ｓ２０９の分岐により流量最強レベル選択状態Ｓ２１０になる。ここで便座温スイッチを押す度に最強レベルを５つのサブレベルに繰り返し選択できる。さらに切り時間スイッチを１回押すと、Ｓ２１２の分岐により部屋暖房温度選択状態Ｓ２１３になる。ここで便座スイッチを押す度に１２℃設定、１５℃設定、１８℃設定を繰り返し選択できる。さらに切り時間スイッチを１回押すと、Ｓ２１５の分岐により脱臭機能選択状態Ｓ２１６になる。ここで便座温スイッチを押す度に機能入りと機能切りを交互に選択できる。
【００１８】
設定変更モードを終了するときは上記いずれの状態でもリモコン停止スイッチを押すことにより、通常の動作モードに入ることができる。
【００１９】
便器洗浄機能のように使用者の使い方により機能選択する可能性が高く、設定変更操作の使用頻度が大きい場合は、変更方法を取扱説明書に記載し、容易に設定変更できるようにしなければならない。しかし、流量の最強レベルを変更するのは、設置場所の水圧が低いという特殊な場合に対応するためのもので、実際の使用頻度は小さいため取扱説明書にも記載しない。これらが同一の設定変更モードで設定できることでサービスマンの操作性が向上するが、またこの設定を通常の水圧であるにもかかわらず不用意に設定してしまうと、洗浄力が強すぎるということにつながるため、サービスマン以外が簡単に操作できないようにしなければならない。このため、通常設定項目と特殊設定項目の間にスイッチの同時押し操作を入れることにより、通常の操作者による設定項目の誤切り換えを防止することができる。
【００２０】
（実施例２）
図５は、本発明の実施例２における設定変更モードのフローチャートを示すものである。設定変更モード中に切り時間スイッチを１回押すと、便器自動洗浄機能選択状態Ｓ３０１になる。さらに切り時間スイッチを１回押しても変化せず、電源スイッチを押した後に切り時間スイッチを押すとＳ３０３の分岐によりプレヒート機能選択状態Ｓ３０４になる。このため操作者に設定項目を変更する意志があれば、短時間に特殊設定項目に切り換えることができ、決められた順序という特殊な操作であるため誤って切り換わってしまうというおそれをより少なくすることができる。
【００２１】
（実施例３）
図６は、本発明の実施例３における設定変更モードのフローチャートを示すものである。設定変更モード中に切り時間スイッチを１回押すと、便器自動洗浄機能選択状態Ｓ４０１になる。さらに切り時間スイッチを１回押しても変化せず、電源スイッチと切り時間スイッチを５秒間同時に押し続けるとＳ４０３の分岐によりプレヒート機能選択状態Ｓ４０４になる。このため操作者に設定項目を変更する意志があれば、短時間に特殊設定項目に切り換えることができ、２つのスイッチの同時押し続けというかなり特殊な操作なので誤って切り換わってしまうおそれをより少なくすることができる。
【００２２】
（実施例４）
図７は、本発明の実施例４における設定変更モードのフローチャートを示すものである。設定変更モード中に切り時間スイッチを１回押すと、便器自動洗浄機能選択状態Ｓ５０１になる。さらに切り時間スイッチを１回押しても変化せず、切り時間スイッチを５秒間押し続けるとＳ５０３の分岐によりプレヒート機能選択状態Ｓ５０４になる。このため操作者に設定項目を変更する意志があれば、スイッチが１つなので容易に短時間で特殊設定項目に切り換えることができ、かつ誤って切り換わってしまうというおそれをなくすことができる。
【００２３】
【発明の効果】
以上のように本発明によれば、通常の操作者による設定項目の誤切り換えを防止し、かつ、保守作業時には設定項目を速やかに切り換えることが可能である。
【図面の簡単な説明】
【図１】  本発明の衛生洗浄装置の一実施形態の全体斜視図
【図２】  同衛生洗浄装置の本体袖部を示す図
【図３】  同衛生洗浄装置のフローチャート
【図４】  本発明の衛生洗浄装置の実施例１の設定変更モードのフローチャート
【図５】  本発明の衛生洗浄装置の実施例２の設定変更モードのフローチャート
【図６】  本発明の衛生洗浄装置の実施例３の設定変更モードのフローチャート
【図７】  本発明の衛生洗浄装置の実施例４の設定変更モードのフローチャート
【符号の説明】
１  本体
２  便座
３  便蓋
４、９  本体袖部
５  リモコン
６  停止スイッチ
７  便器洗浄レバー
８  部屋暖房装置
１０  電源スイッチ
１１  切り時間スイッチ
１２  便座温スイッチ
【図１】
0004674404.tif 000002
【図２】
0004674404.tif 000003
【図３】
0004674404.tif 000004
【図４】
0004674404.tif 000005
【図５】
0004674404.tif 000006
【図６】
0004674404.tif 000007
【図７】
0004674404.tif 000008